(57)【特許請求の範囲】
【請求項１】
頭部保持部材と、
突起部を有する固定部材と、
筒部および吸着部を有する吸盤部材と、を備え、
前記固定部材は、前記突起部が下方向に突出した状態で前記頭部保持部材に固定され、
前記吸盤部材は、前記突起部に前記筒部を嵌め込むことにより前記固定部材に着脱可能に取り付けられ、
前記突起部は、その根本まで前記筒部によって包み込まれ、
前記突起部に前記筒部を嵌め込んだ状態で、前記筒部は前記突起部の根本よりも上まで伸びていることを特徴とする浴槽枕。
【請求項２】
前記突起部の頂部が前記筒部の底部と密着するように前記吸盤部材は前記固定部材に取り付け可能であることを特徴とする請求項１に記載の浴槽枕。
【請求項３】
前記筒部は円筒形であり、前記突起部は球体形であることを特徴とする請求項１または２に記載の浴槽枕。
【請求項４】
前記突起部の最大外径は、前記筒部の最小内径よりも大きいことを特徴とする請求項１から３のいずれかに記載の浴槽枕。
【請求項５】
前記頭部保持部材は、下面に、浴槽の外縁部に設けられた吐水装置が収容される凹状の収容部を備え、
前記突起部は、前記凹状の収容部の長手方向の両側に設けられることを特徴とする請求項１から４のいずれかに記載の浴槽枕。
【請求項６】
浴槽と、
請求項１に記載の浴槽枕と、を備え、
前記浴槽枕は、前記吸盤部材により前記浴槽の外縁部に接着固定されることを特徴とする浴槽枕付きの浴槽。
【請求項７】
前記筒部は、前記突起部が嵌め込まれたとき、筒形形状から前記突起部を包むかたちに変形することを特徴とする請求項１から５のいずれかに記載の浴槽枕。
【発明の詳細な説明】
【技術分野】
【０００１】
本発明は、吸盤によって浴槽に取り付けられる浴槽枕に関し、特に、浴槽枕と吸盤の取り付け構造に関する。
【背景技術】
【０００２】
浴槽枕は、入浴者が頭や首をもたれかけさせるために浴槽の外縁部に取り付けられる（特許文献１，２参照）。衛生面を考慮すると、浴槽枕は不使用時には浴槽から外して乾燥させる必要があるため、浴槽枕は着脱可能であることが望ましい。浴槽掃除のときにも浴槽枕を外す必要がある。特許文献１，２に記載の浴槽枕はいずれも吸盤を備えており、吸盤の吸着力により浴槽に取り付けられている。
【先行技術文献】
【特許文献】
【０００３】
【特許文献１】登録実用新案第３０４４１１３号公報
【特許文献２】特開２００４−３５０９６０号公報
【発明の概要】
【発明が解決しようとする課題】
【０００４】
吸盤の耐用期間は浴槽枕本体の耐用期間に比べるとはるかに短い。ポリ塩化ビニールやエラストマー、ポリエチレンなどの弾力性のある合成樹脂により形成される吸盤は消耗品であるため、１年に１回程度は交換が必要である。しかし、特許文献１では、吸盤が浴槽枕に接着固定されているため、吸盤を交換ができない。
【０００５】
特許文献２では、浴槽枕に内蔵される固定板に吸盤を嵌め込む構造を開示している。しかし、特許文献２の浴槽枕は、吸盤の突起部を固定板の孔に引っかける構造であるため、浴槽枕から吸盤がはずれやすい。このため、浴槽枕を浴槽から外すとき、吸盤が浴槽に接着したまま、浴槽枕本体だけが外れてしまう可能性がある。更に、詳細は後述するが、吸盤の突起部の一部（首部）にストレスが集中しやすいため、吸盤の劣化・損耗を生じやすいことも懸念される。
【０００６】
本発明は、上記課題に鑑みてなされたものであり、その主たる目的は、浴槽枕から吸盤を着脱可能としつつも、浴槽枕と吸盤の結合力を高める技術、を提供することにある。
【課題を解決するための手段】
【０００７】
上記課題を解決するために、本発明のある態様の浴槽枕は、頭部保持部材と、突起部を有する固定部材と、筒部および吸着部を有する吸盤部材と、を備える。
固定部材は、突起部が下方向に突出した状態で頭部保持部材に固定され、吸盤部材は、突起部に筒部を嵌め込むことにより固定部材に着脱可能に取り付けられ、突起部は、その根本まで筒部によって包み込まれ、突起部に筒部を嵌め込んだ状態で、筒部は突起部の根本よりも上まで伸びている。
【０００８】
「頭部保持部材」とは、入浴者の頭部または首を受け止める部分のことであり、弾力性を備えることが好ましい。頭部保持部材と固定部材は接着固定されてもよい。頭部保持部材と、吸盤部材と、浴槽の３つは互いに着脱可能に結合する。吸盤部材と浴槽は吸盤の吸着力により吸着する。一方、固定部材と吸盤部材は、固定部材の突起部を吸盤部材の筒部が包み込んで把持することにより結合する。突起部を筒部で包む構造なので、固定部材と吸盤部材の結合力が強くなる。
【０００９】
突起部の頂部が筒部の底部と密着するように吸盤部材は固定部材に取り付け可能であってもよい。
【００１０】
突起部の側面は筒部の内側面と接し、突起部の頂部（先端）は筒部の内底面と接してもよい。このような態様によれば、突起部にかかる力を突起部の側面だけではなく頂部でも受け止めることができるので、固定部材と吸盤部材を安定的に結合させやすくなる。
【００１１】
筒部は円筒形であり、突起部は球体形であってもよい。
【００１２】
突起部が球体形状の場合、円筒内部に突起部をスムーズに押し込みやすく、かつ、スムーズに引き出しやすい。これにより突起部と筒部を着脱しやすくなる。
【００１３】
突起部の最大外径は、筒部の最小内径よりも大きくてもよい。
【００１４】
突起部の最大外径を筒部の最小内径より大きくすることにより、突起部を筒部に押し込んだときに筒部がしっかりと突起部を把持しやすい。また、筒部に弾力性があるときには、筒部が突起部の形状に沿って変形するため、筒部は突起部を包み込みやすくなる。
【００１５】
頭部保持部材は、下面に、浴槽の外縁部に設けられた吐水装置が収容される凹状の収容部を備えてもよい。
【００１６】
吐水装置をカバーするように頭部保持部材を設けることにより、入浴者は頭部を乗せた楽な姿勢のまま、頭部保持部材の下の吐水装置から首と肩に吐水を受けることができる。
【００１７】
本発明の別の態様は浴槽枕付きの浴槽であって、浴槽と上述の浴槽枕を備える。浴槽枕は、吸盤部材により浴槽の外縁部に接着固定されてもよい。
【発明の効果】
【００１８】
本発明によれば、浴槽枕から吸盤を脱着可能としつつも、浴槽枕と吸盤の結合力を高めることができる。
【図面の簡単な説明】
【００１９】
【図１】浴槽と浴槽枕の斜視図である。
【図２】浴槽枕の裏面斜視図である。
【図３】吸盤収納部において吸盤を取り付ける前の状態を示す断面図である。
【図４】固定板と吸盤部材の斜視図である。
【図５】吸盤収納部において吸盤を取り付けた後の状態を示す断面図である。
【図６】比較例における固定板と吸盤部材の斜視図である。
【図７】比較例における吸盤収納部の断面図である。
【発明を実施するための形態】
【００２０】
図１は、浴槽１０２と浴槽枕１００の斜視図である。
浴槽１０２は、ｙ方向を長手方向とし、ｘ方向を短手方向とする。浴槽１０２の外縁部１０６には、吐水装置１０４が固定的に設置される。吐水装置１０４は、図示しないポンプにより浴槽１０２からくみ上げられた水を浴槽１０２の内部に帯状水として吐出する。吐水装置１０４は主材料は樹脂である。
吐水装置１０４の上に、浴槽枕１００が設置される。浴槽枕１００は、凹状の収容部１１０を備え、この収容部１１０に吐水装置１０４が収容される。収容部１１０の上側が頭部保持部１１６に該当する。
【００２１】
入浴者は浴槽枕１００の頭部保持部１１６に頭をのせて浴槽１０２の内壁にもたれ、浴槽枕１００の下の吐水装置１０４から首と肩に吐水を受ける。吐水装置と浴槽枕１００はいずれも入浴者のリラックス効果を高めるための構造物である。なお、本発明において吐水装置１０４は必須構成ではなく、浴槽１０２と浴槽枕１００のみを設置してもよい。
浴槽枕１００の頭部保持部１１６は、耐水性と適度な強度、弾力性を備えることが好ましく、塩化ビニールや発泡ウレタンなどの軟質合成樹脂により形成されることが好ましい。
【００２２】
図２は、浴槽枕１００の裏面斜視図である。
浴槽枕１００の裏面中央部、いいかえれば、頭部保持部１１６の下側には吐水装置１０４を収容する収容部１１０が形成される。そして、収容部１１０の両側に吸盤収納部１０８が形成される。詳細は後述するが、吸盤収納部１０８には吸盤部材１１４（後述）が取り付けられており、吸盤部材１１４が浴槽１０２の外縁部１０６に吸着することで、浴槽枕１００は浴槽１０２に固定される。
【００２３】
図３は、吸盤収納部１０８において吸盤を取り付ける前の状態を示す断面図である。図３は、図２のＡ−Ａ線で示す断面に対応する。図４は、固定板１１２と吸盤部材１１４の斜視図である。
固定板１１２（固定部材）は、円板部１１８と突起部１２０を含む。本実施形態における突起部１２０は、球形である。固定板１１２は、剛性と熱可塑性を備えることが好ましい。本実施形態における固定板１１２は、ポリフェニレンスルファイド（ＰＰＳ：Polyphenylenesulfide）である。ＰＰＳは、耐熱性、耐薬品性にすぐれ、かつ、強度や剛性がきわめて高いという特徴がある。
【００２４】
円板部１１８には、複数の孔１２６が形成される。浴槽枕１００の製造過程において、固定板１１２の円板部１１８を浴槽枕１００に差し込んだ状態で熱を加えると、浴槽枕１００の樹脂が一部溶融し、円板部１１８の孔１２６を埋める。これにより、浴槽枕１００の内部に固定板１１２は強く固着される。いったん成形した後は、固定板１１２を浴槽枕１００から取り外すことは想定しない。
【００２５】
吸盤部材１１４は、吸着部１２４と筒部１２２を含む。本実施形態における筒部１２２は円筒である。吸盤部材１１４は、ポリ塩化ビニールやポリエチレンなどの弾力性を備える合成樹脂により形成される。
【００２６】
浴槽枕１００の下部からは固定板１１２の突起部１２０が露出する。突起部１２０の最大外径Ｗ１は、筒部１２２の内径Ｗ２よりも大きい。突起部１２０を筒部１２２の内部に押し込むことにより、吸盤部材１１４が浴槽枕１００に固定される。
【００２７】
図５は、吸盤収納部１０８において吸盤を取り付けた後の状態を示す断面図である。図５も、図２のＡ−Ａ線に対応する。
筒部１２２の内径Ｗ２よりも突起部１２０の最大外径Ｗ１が大きく、かつ、吸盤部材１１４は弾力性を有する一方、固定板１１２は剛性が大きいため、突起部１２０を筒部１２２に押し込むと筒部１２２は突起部１２０を包むかたちに変形する。
【００２８】
更に、突起部１２０の頂部（先端）は筒部１２２の底部と接触する。突起部１２０は、側面部だけでなくその頂部においても筒部１２２と接触するため、突起部１２０と筒部１２２の接触面積が広くなる。すなわち、突起部１２０はほぼ全面的に筒部１２２によって包み込まれることになる。この結果、筒部１２２の把持力（復元力）が突起部１２０に伝わりやすくなるだけでなく、その把持力が一部の場所に集中することなくまんべんなく拡散される。必須ではないが、筒部１２２の先端も円板部１１８と接触する。
【００２９】
次に、上述の構造の特徴をより明確にするため、特許文献２に記載の技術をベースとした比較例についても言及する。
【００３０】
図６は、比較例における固定板１２８と吸盤部材１３０の斜視図である。
比較例においては、吸盤部材１３０が突起部１３２を有し、固定板１２８には突出部の代わりに係合孔１３４が設けられる。係合孔１３４は、大孔１３６と小孔１３８を連結した形状である。吸盤部材１３０を固定板１２８に結合させるときには、まず、吸盤部材１３０の突起部１３２を大孔１３６に挿入し、挿入後に吸盤部材１３０を小孔１３８にスライドさせることで吸盤部材１３０を固定板１２８に接続する。
【００３１】
図７は、比較例における吸盤収納部１０８の断面図である。
上述のように、吸盤部材１３０は固定板１２８の大孔１３６に挿入され、小孔１３８にスライドされる。このような構造の場合、以下のような問題点が生じる。
【００３２】
（１）浴槽枕１００の本体が横方向（ｙ方向）にずれたときに吸盤部材１３０がはずれやすい。係合孔１３４の小孔１３８に吸盤部材１３０を安定させても、浴槽枕１００がｙ方向（図７ではｙ正方向）に動くと、吸盤部材１３０の突起部１３２が大孔１３６の位置に戻ってしまい、吸盤部材１３０が固定板１２８からはずれてしまう。このため、浴槽枕１００を浴槽１０２からはずすときに、吸盤部材１３０は浴槽１０２に吸着したままで浴槽枕１００の本体だけがはずれてしまう可能性がある。
【００３３】
（２）突起部１３２の首部１４０にストレスが集中しやすい。
突起部１３２の首部１４０（くぼみ）を小孔１３８で支える構造であるため、首部１４０にストレスが集中する。吸盤部材１３０は、弾力性が求められるため固定板１２８などに比べると耐久性が小さい。このため、硬質の固定板１２８との接触ストレスにより、吸盤部材１３０は首部１４０から裂けてくる可能性がある。
【００３４】
これに対して本実施形態における浴槽枕１００は、固定板１１２の突起部１２０を柔らかい筒部１２２がほぼ全方向から包み込むため、浴槽枕１００に上下左右方向のいずれの力がかかっても筒部１２２は突起部１２０をしっかりと把持できる。
【００３５】
また、筒部１２２が突起部１２０を包み込む構造のために、突起部１２０や筒部１２２に局所的なストレスがかかりにくい。更に、本実施形態においては突起部１２０は剛性を確保できる固定板１１２の側に形成されるため、突起部１２０そのものがストレスに強い。
【００３６】
比較例の場合、突起部１３２を大孔１３６に差し込んでスライドさせる必要があるが、本実施形態の場合には突起部１２０を筒部１２２に真上から押しつけるだけなので取り付け作業が簡単というメリットもある。
【００３７】
浴槽枕１００を浴槽１０２からはがすときには浴槽枕１００を上部に引っ張るが、筒部１２２が吸盤部材１３０を把持する力が吸盤部材１１４が浴槽１０２に吸着する力よりも強いので、吸盤部材１１４だけが浴槽１０２に吸着したまま残ることはない。筒部１２２の把持力が大きいゆえに、吸着力のある大きなサイズの吸盤部材１１４を採用できるというメリットもある。吸盤部材１３０を固定板１１２から外すときには、吸盤部材１３０をつまんでひっぱるだけでよい。
【００３８】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００３９】
たとえば、固定板１１２の突起部１２０は球体形である必要はなく、吸盤部材１１４の筒部１２２も円筒形である必要はない。すなわち、固定板１１２に形成される突起を吸盤部材１１４に形成される筒でつつむことができればよく、一例として、直方体形状の突起部１２０と角筒形状の筒部１２２の組み合わせでもよい。同様に、固定板１１２の円板部１１８は円板である必要はなく、浴槽枕１００の内部にて固定可能な形状であればよい。固定板１１２は吸盤部材１１４よりも剛性や強度が大きく、吸盤部材１１４は固定板１１２よりも弾力性の大きな素材により形成されればよい。
【００４０】
本実施形態においては浴槽枕１００を対象として説明したが、本実施形態における吸盤接続構造は浴槽枕以外への応用も可能である。たとえば、浴槽の底に滑り止めのために敷かれる浴槽マットなどにも応用可能である。このため、
突起部を有する固定部材と、
筒部および吸盤を有する吸盤部材と、を備え、
前記吸盤部材は、前記突起部に前記筒部を嵌め込むことにより前記固定部材に着脱可能に取り付けられることを特徴とする吸盤取り付け構造、
としても発明を認識可能である。
【符号の説明】
【００４１】
１００  浴槽枕、  １０２  浴槽、  １０６  外縁部、  １１２  固定板、  １１４  吸盤部材、  １１６  頭部保持部、  １２０  突起部、  １２２  筒部、  １２４  吸着部、  １３０  吸盤部材、  １３２  突起部。
【図１】
0006450099.tif 000002
【図２】
0006450099.tif 000003
【図３】
0006450099.tif 000004
【図４】
0006450099.tif 000005
【図５】
0006450099.tif 000006
【図６】
0006450099.tif 000007
【図７】
0006450099.tif 000008